(57)【要約】【課題】照明器具のソケットに取付け、取外しする際の作業性を向上することができる電球形ランプ及びこの電球形ランプを用いた照明器具を提供する。【解決手段】本発明は、本体３と、この本体３に配設された光源部２と、この光源部２を覆うとともに、軸中心の外周部に形成された指掛け用の凹部７１を備える透光性のグローブ７と、前記本体３の一端側に接続された口金６と、前記光源部２を点灯制御する点灯装置４とを備える電球形ランプ１である。【選択図】図２
2012181968.tif 000002
【特許請求の範囲】
【請求項１】
本体と；
この本体に配設された光源部と；
この光源部を覆うとともに、軸中心の外周部に形成された指掛け用の凹部を備える透光性のグローブと；
前記本体の一端側に接続された口金と；
前記光源部を点灯制御する点灯装置と；
を具備することを特徴とする電球形ランプ。
【請求項２】
前記指掛け用の凹部は、グローブの軸中心を中心とする同心円上に複数形成されていることを特徴とする請求項１に記載の電球形ランプ。
【請求項３】
ソケットを有する器具本体と；
この器具本体のソケットに装着される請求項１又は請求項２に記載の電球形ランプと；
を具備することを特徴とする照明器具。
【発明の詳細な説明】
【技術分野】
【０００１】
本発明の実施形態は、光源部を覆う透光性のグローブを有する電球形ランプ及びこの電球形ランプを用いた照明器具に関する。
【背景技術】
【０００２】
近時、ＬＥＤの高出力化、高効率化及び普及化に伴い、光源としてＬＥＤを用いて長寿命化が期待できる電球形のＬＥＤランプが注目されている。
【０００３】
例えば、ＨＩＤランプからの置き換えを意図した比較的出力の大きい電球形のＬＥＤランプが開発されており、この場合、大出力化に伴いランプ本体が大形化し、光源の前面側を覆うグローブの外径も大きくなる傾向となっている。
【先行技術文献】
【非特許文献】
【０００４】
【非特許文献１】ＬＥＤアイランプ｜ＬＥＤランプ｜ＬＥＤ照明器具  ＬＥＤｉｏｃ｜照明器具・ランプ・光応用技術の岩崎電気株式会社［平成２３年２月１８日検索］（http://www.iwasaki.co.jp/product/lighting_field/led/lamp/eye-lamp.html）
【発明の概要】
【発明が解決しようとする課題】
【０００５】
このため、上記のように大形化した電球形ランプにおいては、この電球形ランプを照明器具のソケットに取付け、取外しする際の作業が容易に行えず、また、電球形ランプを片手で保持することが困難となり、両手を使って保持して、取付け、取外し作業を行うこととなり、作業効率が低下する虞を生じる。
加えて、特に、高所で作業を行う場合には、安全性が低下するという問題が発生する。
【０００６】
本発明は、上記課題に鑑みなされたもので、照明器具のソケットに取付け、取外しする際の作業性を向上することができる電球形ランプ及びこの電球形ランプを用いた照明器具を提供すること目的とする。
【課題を解決するための手段】
【０００７】
本発明の実施形態による電球形ランプは、本体と、この本体に配設された光源部と、この光源部を覆うとともに、軸中心の外周部に形成された指掛け用の凹部を備える透光性のグローブとを備えている。また、前記本体の一端側に接続された口金と、前記光源部を点灯制御する点灯装置とを備えている。
【発明の効果】
【０００８】
本発明の実施形態によれば、照明器具のソケットに取付け、取外しする際の作業性を向上することができる電球形ランプ及びこの電球形ランプを用いた照明器具を提供することができる。
【図面の簡単な説明】
【０００９】
【図１】本発明の第１の実施形態に係る電球形ランプを示す斜視図である。
【図２】同電球形ランプにおいて、主としてグローブで覆われた部分を図１のＸ−Ｘ線に沿って断面で示す正面図である。
【図３】同電球形ランプの前面側（グローブ）を示す平面図である。
【図４】同電球形ランプの照明器具への装着操作を示す斜視図である。
【図５】同電球形ランプを適用した照明器具（実施例１）を示す斜視図である。
【図６】同電球形ランプを適用した照明器具（実施例２）を示す断面図である。
【図７】本発明の第２の実施形態に係る電球形ランプ（実施例１）を示す図２に相当する正面図である。
【図８】本発明の第２の実施形態に係る電球形ランプ（実施例２）を示す図２に相当する正面図である。
【図９】本発明の第３の実施形態に係る電球形ランプを示す正面図である。
【図１０】同電球形ランプを適用した照明器具を示す断面図である。
【発明を実施するための形態】
【００１０】
以下、本発明の第１の実施形態について図１乃至図６を参照して説明する。図１乃至図４は、電球形ランプとしての電球形ＬＥＤランプ１を示し、図５及び図６は、電球形ＬＥＤランプ１が装着される照明器具の実施例を示している。
【００１１】
図１乃至図３において、電球形ＬＥＤランプ１は、光源部２と、この光源部２と熱的に結合された熱伝導性を有する本体３と、光源部２を点灯制御する点灯装置４と、この点灯装置４が収納されたカバー部材５と、カバー部材５に取付けられた口金６と、前記光源部２を覆って本体３に取付けられたグローブ７とを備えて構成されている。
光源部２は、図２に示すように、基板２１と、この基板２１に実装された複数のＬＥＤ２２とを備えている。
【００１２】
基板２１は、略円形状に形成されて裏面側が前記本体３に密着するように取付けられている。基板２１には、各ＬＥＤ２２の放熱性を高めるうえで、アルミニウム等の熱伝導性が良好で放熱性に優れた金属材料をベース板として適用するのが好ましい。本実施形態では、このような基板２１として、アルミニウム製のべース板の一面に絶縁層が積層された金属製のべース基板を採用している。なお、ベース板に絶縁特性を持たせたい場合には、放熱特性が比較的良好で、耐久性に優れたセラミック材料又はガラスエポキシ樹脂等の合成樹脂材料を適用できる。
【００１３】
基板２１の絶縁層の上には、複数のＬＥＤ２２が並べられて直接実装されている。複数のＬＥＤ２２は、ＬＥＤのベアチップからなる。ＬＥＤのベアチップには、例えば、白色系の光を発光部で発光させるために、青色の光を発するものが用いられている。このＬＥＤのベアチップは、シリコーン樹脂系の接着剤を用いて、基板２１上に接着されている。
【００１４】
また、基板２１上におけるＬＥＤ２２の実装領域の周囲には、枠部材２３が設けられている。この枠部材２３は、例えば、ディスペンサを用いて所定の粘度を有する未硬化のシリコーン樹脂を基板２１上に枠状に塗布し、その後に加熱硬化することにより、基板２１上に接着される。
【００１５】
枠部材２３の内側には、封止部材２４が充填されている。封止部材２４は、透光性合成樹脂、例えば、透明シリコーン樹脂製であり、ＬＥＤ２２の実装領域を封止している。封止部材２４は、蛍光体を適量含有している。蛍光体は、ＬＥＤ２２が発する光で励起されて、ＬＥＤ２２が発する光の色とは異なる色の光を放射する。ＬＥＤ２２が青色光を発する本実施形態では、白色光を出射できるようにするために、蛍光体には青色の光とは補色の関係にある黄色系の光を放射する黄色蛍光体が使用されている。
なお、ＬＥＤとしては、基板上に表面実装方式で実装するＬＥＤのパッケージを適用してもよい。
【００１６】
本体３は、例えば、熱伝導性が良好なアルミニウム等の金属材料からなり、一端側に円柱状部３１が形成され、この円柱状部３１から他端側へ向かって徐々に径が拡大された拡径部３２を有し、この拡径部３２には複数の放熱フィンが形成されている。なお、円柱状部３１の径は、後述する口金６の径と略同じ寸法に形成されている。さらに、本体３の他端側（図示上、上側）には、基板２１を取付けるための取付面が形成されている。
【００１７】
点灯装置４は、カバー部材５に収容されるようになっており、回路基板にトランジスタＱや抵抗素子Ｒ等の回路部品が実装されて構成されている。点灯装置４は、光源部２に接続されていて、具体的には、基板２１を介してＬＥＤ２２に接続されており、その点灯を制御するようになっている。
【００１８】
カバー部材５は、例えば、ＰＢＴ樹脂等の絶縁性を有する材料により円筒状に形成されて本体３の内側に配設されており、その中間部の外周面には、本体３の一端側と口金６との間を絶縁するためのフランジＦが径方向に突出して周方向全体に介在している。このカバー部材５内には、前記したように点灯装置４が収容されるようになっている。
【００１９】
口金６は、例えば、Ｅ３９口金であり、点灯装置４と配線により電気的に接続されており、照明器具本体のランプソケットにねじ込まれるねじ山を備えた筒状のシェルと、このシェルの頂部に絶縁部を介して設けられたアイレットとを備えている。
グローブ７は、透光性を有し、かつ光拡散性を有するポリカーボネート等の合成樹脂により略球面状に形成されて光源部２を覆うようになっている。
【００２０】
このグローブ７の外表面には、指掛け用の凹部７１が形成されている。この指掛け用の凹部７１は、電球形ＬＥＤランプ１を照明器具本体のランプソケットに装着する場合に、指を掛けて装着操作をしやすくする機能を有している。
【００２１】
具体的には、指掛け用の凹部７１は、グローブ７の軸中心Ｏの外周部に複数個、好ましくは、３個以上形成されていて、本実施形態では、グローブ７の軸中心Ｏを中心とする同心円上に４個形成されている。図２及び図３に示すように、グローブ７の外径寸法Ｄは、約１２０ｍｍ〜１６０ｍｍである。指掛け用の凹部７１は、有底円筒状の凹部であり、指を挿入しやすいように、凹部７１の内径ｄは、φ２０ｍｍ以上φ３０ｍｍ以下であって、その深さ寸法ａは、１０ｍｍ以上３０ｍｍ以下に形成するのが好ましい。本実施形態では、凹部７１の内径ｄは、φ３０ｍｍ、深さ寸法ａは、３０ｍｍに形成されている。
【００２２】
また、各凹部７１の中心点間の間隔寸法Ｌは、４０ｍｍ以上１２０ｍｍ以下に設定するのが好ましく、本実施形態では、間隔寸法Ｌは、６０ｍｍに設定されている。
【００２３】
このように、指掛け用の凹部７１を３個以上形成することにより、凹部７１に３本の指を挿入して指を掛けることができ、ＬＥＤランプ１の装着操作をしやすく、作業性が良好となる。また、凹部７１の内径ｄをφ２０ｍｍ以上φ３０ｍｍ以下に形成することにより、指の挿入が容易となり、加えて、光源部２から出射される光の配光特性に与える影響を軽減することが可能となる。さらに、深さ寸法ａを１０ｍｍ以上３０ｍｍ以下に形成し、各凹部７１の中心点間の間隔寸法Ｌを４０ｍｍ以上１２０ｍｍ以下に設定することにより、複数の指による適切な保持力を確保することが可能となる。
【００２４】
次に、図４を参照してＬＥＤランプ１を照明器具本体のランプソケットに装着操作する場合の概要を説明する。図は、ランプソケットＳ側に口金６を下方側からねじ込んで装着する場合を示している。
【００２５】
例えば、グローブ７の指掛け用の凹部７１に片方の手における挿入しやすい３本の指を挿入し、指を掛けてＬＥＤランプ１を保持するとともに、回動してランプソケットＳ側に口金６をねじ込む。この場合、複数個の指掛け用の凹部７１のうち、位置的に挿入しやすい凹部７１を選択すればよい。
【００２６】
また、４個の凹部７１に指を挿入するようにしてもよく、さらに、一方の手でグローブ７を支えながら他方の手で指掛け用の凹部７１に指を掛けて保持し回動するようにしてもよい。
【００２７】
このように指掛け用の凹部７１が形成されているため、ＬＥＤランプ１を照明器具本体のソケットに取付け、取外しする際の作業を容易に行うことができ、また、ＬＥＤランプ１を片手で保持することが可能となり、作業効率の向上を図ることができる。
さらに、グローブ７の保持の確実性が高まり、ＬＥＤランプ１を落下させて破損してしまうような不具合を低減することが可能となる。
【００２８】
以上のように構成されたＬＥＤランプ１において、口金６を照明器具本体のソケットに装着して通電が行われると、点灯装置４が動作して光源部２に電力が供給され、ＬＥＤ２２が発光する。ＬＥＤ２２から出射された光はグローブ７を介して拡散照射される。この場合、指掛け用の凹部７１は、グローブ７の内側に突出する形態をなしているので、ＬＥＤ２２から出射された光の拡散効果が高まるように作用する。また、ＬＥＤ２２が発光に伴いＬＥＤ２２から発生する熱は、主として、基板２１の裏面の略全面から本体３へ伝わり、その放熱でＬＥＤ２２の温度上昇を抑制することができる。
次に、図５及び図６を参照して上記電球形ＬＥＤランプ１を装着した照明器具の実施例について説明する。
（実施例１）
【００２９】
図５は、照明器具として道路灯を示している。道路灯１０は、支柱１１の上端部に灯具１２が取付けられて構成されている。支柱１１は、道路際に立設され、灯具１２から照射される光によって道路上が照明されるようになっている。灯具１２内には、上記電球形ＬＥＤランプ１の照射面側（グローブ７側）が下向き又は横向きになるようにソケットに装着されており、光源部２からの光がグローブ７を透過して放射されるようになっている。
【００３０】
このような照明器具によれば、上記ＬＥＤランプ１が奏する作用効果を実現することができ、ＬＥＤランプ１を照明器具本体のソケットに取付け、取外しする際の作業を容易に行うことが可能となる。
（実施例２）
図６は、照明器具として街路灯を示している。なお、実施例１と同一又は相当部分には同一符号を付して説明する。
【００３１】
街路灯１０は、支柱１１の上端部に灯具１２が取付けられて構成されていて、支柱１１は、歩道際に立設され、灯具１２から照射される光によって歩道上が照明される。灯具１２は、全体が略球状に形成され、上部カバー１３及び透光性を有する下部カバー１４を備えている。上部カバー１３内には反射鏡１５が設けられ、下部カバー４１内には、ソケットＳが設けられている。
【００３２】
したがって、上記電球形ＬＥＤランプ１は、照射面側が上向きになるようにソケットＳに装着されており、光源部２からの光がグローブ７を透過して反射鏡１５に反射されて、下方に放射されるようになっている。
このような照明器具によれば、実施例１と同様に、ＬＥＤランプ１を照明器具本体のソケットに取付け、取外しする際の作業を容易に行うことが可能となる。
【００３３】
次に、本発明の第２の実施形態について図７及び図８を参照して説明する。なお、第１の実施形態と同一又は相当部分には同一符号を付して重複した説明は省略する。
（実施例１）
図７に示すように、本実施例においては、グローブ７の外表面に形成された指掛け用の凹部７１が半球状をなしているものである。
【００３４】
このような構成によっても指掛け用の凹部７１に指を挿入し、指を掛けてＬＥＤランプ１を保持するとともに、回動してランプソケットに口金６をねじ込むことができる。
（実施例２）
【００３５】
図８に示すように、本実施例においては、グローブ７の外表面に形成された指掛け用の凹部７１は、断面形状が略Ｌ字状に切欠かれた形状をなしているものである。
このような構成によっても指掛け用の凹部７１に指を掛けてＬＥＤランプ１を保持するとともに、回動してランプソケットに口金６をねじ込むことができる。
以上実施例１及び実施例２に示すように指掛け用の凹部７１は、種々の形態に形成でき、また、例えば、四角形の筒状等に形成することもできる。
【００３６】
続いて、本発明の第３の実施形態について図９及び図１０を参照して説明する。図９は、電球形ランプとしての電球形ＬＥＤランプ１を示し、図１０は、電球形ＬＥＤランプ１が装着される照明器具としてのダウンライト５０を示している。なお、第１の実施形態と同一又は相当部分には同一符号を付して重複した説明は省略する。
【００３７】
本実施形態の電球形ＬＥＤランプ１は、一般の白熱電球と同様のサイズ、形態をなしている。口金６は、例えば、Ｅ２６口金が用いられていて、グローブ７の外径は、約５５ｍｍに形成されている。
【００３８】
また、第１の実施形態と同様に、グローブ７の外表面には、指掛け用の凹部７１が形成されている。この指掛け用の凹部７１は、グローブ７の軸中心Ｏの外周部に、グローブ７の軸中心Ｏを中心とする同心円上に４個形成されている。
【００３９】
そして、指掛け用の凹部７１は、電球形ＬＥＤランプ１を照明器具本体のランプソケットに装着する場合に、指を掛けて装着操作をしやすくする機能を有している。
図１０を参照して照明器具としてのダウンライト５０及びこのダウンライト５０に装着されるＬＥＤランプ１の装着状態について説明する。
【００４０】
ダウンライト５０は、天井面Ｃの埋め込み穴に挿入されて設置されるもので、下側が開放した円筒状の本体５１と、この本体５１内に収容され光の照射方向に拡開した曲面状の反射鏡５２と、ソケットＳと、端子台５３と、反射鏡５２の照射開口に配設された化粧枠５４とを備えている。
【００４１】
ソケットＳには、ＬＥＤランプ１の口金６がねじ込まれて装着されるようになっている。この場合、手の指をグローブ７の指掛け用の凹部７１に掛けてＬＥＤランプ１を保持し、回動させることができ、装着操作が容易となる。特に、グローブ７と反射鏡５２との間隔が狭く、グローブ７と反射鏡５２とが接近し、グローブ７の外周を掴んで保持することが困難である場合には有効となる。
【００４２】
以上のように本実施形態によれば、第１の実施形態と同様に、ＬＥＤランプ１を照明器具本体のソケットに取付け、取外しする際の作業を容易に行うことができ、作業効率の向上を図ることができる。
【００４３】
なお、本発明は、上記各実施形態の構成に限定されることなく、発明の要旨を逸脱しない範囲で種々の変形が可能である。例えば、光源としてはＬＥＤに限らず、ＨＩＤや蛍光管等の放電管であってもよい。
また、照明器具としては、屋内又は屋外で使用される各種照明器具に適用可能である。
【符号の説明】
【００４４】
１・・・電球形ランプ（電球形ＬＥＤランプ）、２・・・光源部、３・・・本体、
４・・・点灯装置、６・・・口金、７・・・グローブ、
１０、５０・・・照明器具（道路灯、街路灯、ダウンライト）、２１・・・基板、
２２・・・ＬＥＤ、７１・・・指掛け用の凹部、Ｓ・・・ソケット
【図１】
2012181968.tif 000003
【図２】
2012181968.tif 000004
【図３】
2012181968.tif 000005
【図４】
2012181968.tif 000006
【図５】
2012181968.tif 000007
【図６】
2012181968.tif 000008
【図７】
2012181968.tif 000009
【図８】
2012181968.tif 000010
【図９】
2012181968.tif 000011
【図１０】
2012181968.tif 000012